(57)【要約】      （修正有）【課題】流体ポンプの振動が被固定部へ伝達されることをより抑制できると共に、流体ポンプの被固定部への組付性をさらに向上させることができ、且つ、流体ポンプの被固定部への固定状態をより確実なものとすることができるゴムブラケット及び流体ポンプ装置を提供する。【解決手段】流体ポンプ装置１０では、ゴムブラケット１４の保持部７８に流体ポンプ１２のモータ部１６が挿入されて保持されるための保持孔部８０が設けられている。保持孔部８０は、軸線方向一端側の開口部８２から軸線方向他端側の開口部８４に向かうに従って縮径するテーパ孔状に構成されている。また、保持孔部８０の軸線方向一端側の内周面には、回転防止用の係止凹部８６が設けられており、この係止凹部８６は、流体ポンプ１２に設けられたリブ２６と保持孔部８０の軸線周りの方向に係止されている。【選択図】図１
2008121522.tif 000002
【特許請求の範囲】
【請求項１】
軸線方向一端側に開口部を有し前記開口部から軸線方向他端側に向かうに従って縮径するテーパ孔状に形成され、流体ポンプに設けられたモータ部が挿入されて前記モータ部の外周面を包囲して保持するための保持孔部を有して構成された保持部と、
前記保持部と一体に形成され、前記保持部を被固定部に固定するための固定部と、
前記保持部に設けられ、前記モータ部が前記保持孔部に挿入されて保持されたときに前記流体ポンプに形成された係止部と前記保持孔部の軸線周りの方向に係止される被係止部と、
を備えたことを特徴とするゴムブラケット。
【請求項２】
前記保持孔部の前記軸線方向他端側には、前記モータ部が圧入可能な孔寸法で形成された圧入部が設けられていることを特徴とする請求項１に記載のゴムブラケット。
【請求項３】
前記固定部は、前記保持部の外周面における前記保持孔部の軸線周りの方向に離間した少なくとも二箇所の位置に設けられていることを特徴とする請求項１又は請求項２に記載のゴムブラケット。
【請求項４】
前記被係止部は、前記保持孔部の前記軸線方向一端側の内周面に形成されていることを特徴とする請求項１乃至請求項３のいずれか一項に記載のゴムブラケット。
【請求項５】
流体ポンプと、
前記流体ポンプを被固定部に固定するためのゴムブラケットと、
を備えた流体ポンプ装置において、
前記流体ポンプは、
モータ部と、
前記モータ部により駆動されて流体を搬送するポンプ部と、
前記モータ部及び前記ポンプ部の少なくとも一方に設けられた係止部と、
を備え、
前記ゴムブラケットは、
軸線方向一端側に開口部を有し前記開口部から軸線方向他端側に向かうに従って縮径するテーパ孔状に形成され、流体ポンプに設けられたモータ部が挿入されて前記モータ部の外周面を包囲して保持する保持孔部を有して構成された保持部と、
前記保持部と一体に形成され、前記保持部を前記被固定部に固定するための固定部と、
前記保持部に設けられ、前記係止部と前記保持孔部の軸線周りの方向に係止された被係止部と、
を備えたことを特徴とする流体ポンプ装置。
【請求項６】
前記保持孔部の前記軸線方向他端側には、前記モータ部が圧入可能な孔寸法で形成された圧入部が設けられ、
前記モータ部は、前記圧入部に圧入されていることを特徴とする請求項５に記載の流体ポンプ装置。
【請求項７】
前記固定部は、前記保持部の外周面における前記保持孔部の軸線周りの方向に離間した少なくとも二箇所の位置に設けられていることを特徴とする請求項５又は請求項６に記載の流体ポンプ装置。
【請求項８】
前記係止部は、前記ポンプ部及び前記モータ部の少なくとも一方の外周面に設けられたリブとされ、
前記被係止部は、前記保持孔部の前記軸線方向一端側の内周面に形成され、前記リブと係止された係止凹部とされていることを特徴とする請求項５乃至請求項７のいずれか一項に記載の流体ポンプ装置。
【請求項９】
前記流体ポンプは、前記ポンプ部が前記保持孔部の前記軸線方向一端側に位置されるように前記ゴムブラケットに組み付けられていることを特徴とする請求項５乃至請求項８のいずれか一項に記載の流体ポンプ装置。
【請求項１０】
前記保持孔部は、前記軸線方向他端側に開口部を有し、
前記モータ部は、前記保持孔部の前記軸線方向他端側の開口部から外方に突出された突出部を備えると共に、前記突出部に前記保持孔部の前記軸線方向他端側の開口部よりも大径に形成された拡径部を備えて構成されたことを特徴とする請求項９に記載の流体ポンプ装置。
【発明の詳細な説明】
【技術分野】
【０００１】
本発明は、ゴムブラケット及び流体ポンプ装置に係り、特に、流体ポンプを被固定部に固定するためのゴムブラケット、及び、このゴムブラケット及び流体ポンプを備えて構成された流体ポンプ装置に関する。
【背景技術】
【０００２】
従来、この種のゴムブラケット及び流体ポンプ装置としては、次のものが知られている（例えば、特許文献１参照）。例えば、特許文献１には、流体ポンプ（特許文献１では流体ポンプ装置と呼称）を車体に固定するためのブラケット（特許文献１では固定部材と称呼）を備えた例が開示されている。この例に記載のブラケットでは、保持部、底部、固定部がゴムにて一体に形成されているため、金属製のブラケットにゴム等の防振部材を装着した構成に比して、被固定部への組付性を向上できるとしている。
【特許文献１】特開２００６−２０４５８号公報
【特許文献２】特開２００１−３０４２００号公報
【特許文献３】特開２００１−９０６９６号公報
【特許文献４】特開２００５−８０４２１号公報
【特許文献５】特開２００２−９５２０６号公報
【発明の開示】
【発明が解決しようとする課題】
【０００３】
しかしながら、流体ポンプの振動が被固定部へ伝達されることをより抑制すると共に、流体ポンプの被固定部への組付性をさらに向上させ、且つ、流体ポンプの被固定部への固定状態をより確実なものとするためには改良の余地がある。
【０００４】
本発明は、上記問題に鑑みてなされたものであって、その目的は、流体ポンプの振動が被固定部へ伝達されることをより抑制できると共に、流体ポンプの被固定部への組付性をさらに向上させることができ、且つ、流体ポンプの被固定部への固定状態をより確実なものとすることができるゴムブラケット及び流体ポンプ装置を提供することにある。
【課題を解決するための手段】
【０００５】
前記課題を解決するために、請求項１に記載のゴムブラケットは、軸線方向一端側に開口部を有し前記開口部から軸線方向他端側に向かうに従って縮径するテーパ孔状に形成され、流体ポンプに設けられたモータ部が挿入されて前記モータ部の外周面を包囲して保持するための保持孔部を有して構成された保持部と、前記保持部と一体に形成され前記保持部を被固定部に固定するための固定部と、前記保持部に設けられ、前記モータ部が前記保持孔部に挿入されて保持されたときに前記流体ポンプに形成された係止部と前記保持孔部の軸線周りの方向に係止される被係止部と、を備えたことを特徴とする。
【０００６】
請求項１に記載のゴムブラケットによれば、流体ポンプに設けられたモータ部を保持するための保持部を備え、この保持部には、モータ部が挿入されるための保持孔部が設けられている。この保持孔部は、軸線方向一端側の開口部から軸線方向他端側に向かうに従って縮径するテーパ孔状に構成されている。従って、この保持孔部にモータ部が挿入されたときには、保持孔部の軸線方向一端側よりも主として軸線方向他端側でモータ部の外周面が包囲されて保持された状態となる。これにより、モータ部の外周面をその軸線方向一端側から軸線方向他端側に亘って一様に保持する保持孔部を備えた構成に比して、モータ部の外周面と保持孔部の内周面との接触面積を小さくできるので、流体ポンプの振動が被固定部へ伝達されることをより抑制することができる。
【０００７】
また、請求項１に記載のゴムブラケットによれば、流体ポンプをゴムブラケットに組み付ける際には、軸線方向他端側よりも直径の大きな軸線方向一端側の開口部からモータ部を保持孔部に挿入することができ、しかも、このときにはモータ部を保持孔部に挿入する際の初期の挿入抵抗を小さくできる。これにより、流体ポンプのゴムブラケットへの組付が容易となり、ひいては、流体ポンプの被固定部への組付性をさらに向上させることができる。
【０００８】
しかも、請求項１に記載のゴムブラケットによれば、保持部には、被係止部が設けられており、モータ部が保持孔部に挿入されて保持されたときには流体ポンプに形成された係止部と被係止部とが保持孔部の軸線周りの方向に係止された状態となる。これにより、例えば、流体ポンプの作動時の振動等によって流体ポンプがゴムブラケットに対し軸線周りの方向に回転されることを防止でき、流体ポンプの被固定部への固定状態をより確実なものとすることができる。
【０００９】
請求項２に記載のゴムブラケットは、請求項１に記載のゴムブラケットにおいて、前記保持孔部の前記軸線方向他端側には、前記モータ部が圧入可能な孔寸法で形成された圧入部が設けられていることを特徴とする。
【００１０】
請求項２に記載のゴムブラケットによれば、保持孔部にモータ部が挿入されたときには、保持孔部の軸線方向他端側に設けられた圧入部にモータ部が圧入される。これにより、例えば、流体ポンプのゴムブラケットに対するガタツキ等を抑制でき、流体ポンプの被固定部への固定状態をより確実なものとすることができる。
【００１１】
請求項３に記載のゴムブラケットは、請求項１又は請求項２に記載のゴムブラケットにおいて、前記固定部は、前記保持部の外周面における前記保持孔部の軸線周りの方向に離間した少なくとも二箇所の位置に設けられていることを特徴とする。
【００１２】
請求項３に記載のゴムブラケットによれば、保持部の外周面における保持孔部の軸線周りの方向に離間した少なくとも二箇所の位置に設けられた固定部で、ゴムブラケットを被固定部に固定することができる。これにより、ゴムブラケットの被固定部への取付状態が安定し、流体ポンプの被固定部への固定状態をより確実なものとすることができ、しかも、ゴムブラケットの被固定部への固定も容易で、流体ポンプの被固定部への組付性をさらに向上させることができる。
【００１３】
請求項４に記載のゴムブラケットは、請求項１乃至請求項３のいずれか一項に記載のゴムブラケットにおいて、前記被係止部は、前記保持孔部の前記軸線方向一端側の内周面に形成されていることを特徴とする。
【００１４】
請求項４に記載のゴムブラケットによれば、保持孔部の軸線方向一端側の内周面に被係止部を設けるという簡単な構成により、流体ポンプのゴムブラケットに対する軸線周りの方向の回転を防止でき、流体ポンプの被固定部への固定状態をより確実なものとすることができる。
【００１５】
また、前記課題を解決するために、請求項５に記載の流体ポンプ装置は、流体ポンプと、前記流体ポンプを被固定部に固定するためのゴムブラケットと、を備えた流体ポンプ装置において、前記流体ポンプは、モータ部と、前記モータ部により駆動されて流体を搬送するポンプ部と、前記モータ部及び前記ポンプ部の少なくとも一方に設けられた係止部と、を備え、前記ゴムブラケットは、軸線方向一端側に開口部を有し前記開口部から軸線方向他端側に向かうに従って縮径するテーパ孔状に形成され、流体ポンプに設けられたモータ部が挿入されて前記モータ部の外周面を包囲して保持する保持孔部を有して構成された保持部と、前記保持部と一体に形成され、前記保持部を前記被固定部に固定するための固定部と、前記保持部に設けられ、前記係止部と前記保持孔部の軸線周りの方向に係止された被係止部と、を備えたことを特徴とする。
【００１６】
請求項５に記載の流体ポンプ装置によれば、ゴムブラケットには、流体ポンプに設けられたモータ部を保持するための保持部が設けられており、この保持部には、流体ポンプのモータ部が挿入されるための保持孔部が設けられている。この保持孔部は、軸線方向一端側の開口部から軸線方向他端側に向かうに従って縮径するテーパ孔状に構成されている。従って、この保持孔部にモータ部が挿入されたときには、保持孔部の軸線方向一端側よりも主として軸線方向他端側でモータ部の外周面が包囲されて保持された状態となる。これにより、モータ部の外周面をその軸線方向一端側から軸線方向他端側に亘って一様に保持する保持孔部を備えた構成に比して、モータ部の外周面と保持孔部の内周面との接触面積を小さくできるので、流体ポンプの振動が被固定部へ伝達されることをより抑制することができる。
【００１７】
また、請求項５に記載の流体ポンプ装置によれば、流体ポンプをゴムブラケットに組み付ける際には、軸線方向他端側よりも直径の大きな軸線方向一端側の開口部からモータ部を保持孔部に挿入することができ、しかも、このときにはモータ部を保持孔部に挿入する際の初期の挿入抵抗を小さくできる。これにより、流体ポンプのゴムブラケットへの組付が容易となり、ひいては、流体ポンプの被固定部への組付性をさらに向上させることができる。
【００１８】
しかも、請求項５に記載の流体ポンプ装置によれば、ゴムブラケットに設けられた保持部には、被係止部が設けられており、流体ポンプをゴムブラケットに組み付けたときには、流体ポンプに形成された係止部と被係止部とは保持孔部の軸線周りの方向に係止される。これにより、例えば、流体ポンプの作動時の振動等によって流体ポンプがゴムブラケットに対し軸線周りの方向に回転されることを防止でき、流体ポンプの被固定部への固定状態をより確実なものとすることができる。
【００１９】
請求項６に記載の流体ポンプ装置は、請求項５に記載の流体ポンプ装置において、前記保持孔部の前記軸線方向他端側には、前記モータ部が圧入可能な孔寸法で形成された圧入部が設けられ、前記モータ部は、前記圧入部に圧入されていることを特徴とする。
【００２０】
請求項６に記載の流体ポンプ装置によれば、モータ部は、保持孔部の軸線方向他端側に設けられた圧入部に圧入されている。これにより、例えば、流体ポンプのゴムブラケットに対するガタツキ等を抑制でき、流体ポンプの被固定部への固定状態をより確実なものとすることができる。
【００２１】
請求項７に記載の流体ポンプ装置は、請求項５又は請求項６に記載の流体ポンプ装置において、前記固定部は、前記保持部の外周面における前記保持孔部の軸線周りの方向に離間した少なくとも二箇所の位置に設けられていることを特徴とする。
【００２２】
請求項７に記載の流体ポンプ装置によれば、保持部の外周面における保持孔部の軸線周りの方向に離間した少なくとも二箇所の位置に設けられた固定部で、ゴムブラケットを被固定部に固定することができる。これにより、ゴムブラケットの被固定部への取付状態が安定し、流体ポンプの被固定部への固定状態をより確実なものとすることができ、しかも、ゴムブラケットの被固定部への固定も容易で、流体ポンプの被固定部への組付性をさらに向上させることができる。
【００２３】
請求項８に記載の流体ポンプ装置は、請求項５乃至請求項７のいずれか一項に記載の流体ポンプ装置において、前記係止部は、前記ポンプ部及び前記モータ部の少なくとも一方の外周面に設けられたリブとされ、前記被係止部は、前記保持孔部の前記軸線方向一端側の内周面に形成され、前記リブと係止された係止凹部とされていることを特徴とする。
【００２４】
請求項８に記載の流体ポンプ装置によれば、流体ポンプのポンプ部及びモータ部の少なくとも一方の外周面に設けられた既存の構成であるリブを用い、このリブを保持孔部の軸線方向一端側の内周面に形成された係止凹部に係止させるという簡単な構成により、流体ポンプのゴムブラケットに対する軸線周りの方向の回転を防止でき、流体ポンプの被固定部への固定状態をより確実なものとすることができる。
【００２５】
請求項９に記載の流体ポンプ装置は、請求項５乃至請求項８のいずれか一項に記載の流体ポンプ装置において、前記流体ポンプは、前記ポンプ部が前記保持孔部の前記軸線方向一端側に位置されるように前記ゴムブラケットに組み付けられていることを特徴とする。
【００２６】
請求項９に記載の流体ポンプ装置によれば、流体ポンプは、ポンプ部が保持孔部の軸線方向一端側に位置されるようにゴムブラケットに組み付けられている。従って、この流体ポンプをゴムブラケットに組み付ける際には、保持孔部の軸線方向一端側の開口部から軸線方向他端側に向けてモータ部を挿入すれば良く、このときには、流体ポンプのポンプ部がモータ部よりも挿入方向の後端側とされる。これにより、一般に吸入口や吐出口が突出形成されるポンプ部を保持孔部の内部に通過させる必要が無いので、流体ポンプのゴムブラケットへの組付が容易であり、流体ポンプの被固定部への組付性をさらに向上させることができる。
【００２７】
請求項１０に記載の流体ポンプ装置は、請求項９に記載の流体ポンプ装置において、前記保持孔部は、前記軸線方向他端側に開口部を有し、前記モータ部は、前記保持孔部の前記軸線方向他端側の開口部から外方に突出された突出部を備えると共に、前記突出部に前記保持孔部の前記軸線方向他端側の開口部よりも大径に形成された拡径部を備えて構成されたことを特徴とする。
【００２８】
請求項１０に記載の流体ポンプ装置によれば、例えばモータ部に対し保持孔部の軸線方向一端側の方向に荷重が作用された場合でも、モータ部の突出部に備えられた拡径部が保持孔部の軸線方向他端側に位置する開口部の周縁部に引っ掛かる。これにより、流体ポンプのモータ部がゴムブラケットの保持孔部から抜けることを防止することができるので、流体ポンプの被固定部への固定状態をより確実なものとすることができる。
【発明を実施するための最良の形態】
【００２９】
はじめに、本発明の一実施形態に係る流体ポンプ装置１０の構成について説明する。
【００３０】
図１乃至図３には、本発明の一実施形態に係る流体ポンプ装置１０の構成が示されており、図４乃至図６には、この流体ポンプ装置１０に設けられたゴムブラケット１４の構成が示されている。
【００３１】
本発明の一実施形態に係る流体ポンプ装置１０は、例えば、自動車に搭載されるラジエータの冷却水を循環させるために用いられるものであり、自動車のエンジンルーム内に設置されるものである。この流体ポンプ装置１０は、図１，図２に示されるように、流体を搬送するための流体ポンプ１２と、この流体ポンプ１２を車体等の被固定部に固定するためのゴムブラケット１４と、を備えて構成されている。
【００３２】
流体ポンプ１２は、図２，図３に示されるように、モータ部１６とポンプ部１８とにより構成されている。モータ部１６は、合成樹脂製のモータケース２０を有している。モータケース２０には、図２に示されるように、円筒状の外筒部２２が設けられている。外筒部２２のポンプ部１８側には、周方向に沿って環状のフランジ２４が設けられており、外筒部２２の外周面には、フランジ２４と接続され、このフランジ２４を補強するための複数のリブ２６（係止部）が径方向外側に向けて突設されている。
【００３３】
外筒部２２の径方向内側には、同じく円筒状の内筒部２８（キャン）が設けられている。この外筒部２２と内筒部２８のポンプ部１８側の端部は、円環状の連結壁部３０によって連結されている。外筒部２２と内筒部２８との間は、周方向に沿って形成された環状のステータ収容室３２とされており、このステータ収容室３２には、同じく環状のステータ３４が収容されている。ステータ３４は、コア３６にコイル３８が巻回された構成とされている。外筒部２２の径方向内側には、ステータ３４よりもポンプ部１８と反対側に円盤状の回路基板４０が配置されており、この回路基板４０とステータ３４のコイル３８とは電気的に接続されている。
【００３４】
外筒部２２のポンプ部１８と反対側は、開口部４２として開口されており、この開口部４２は、円盤状のエンドプレート４４（拡径部）により閉塞されている。エンドプレート４４は、図３に示される如く係止固定部４６を備えて構成されており、この係止固定部４６が外筒部２２の外周面に形成された図示しない被係止固定部に係止されることにより、外筒部２２と一体的に固定されている。また、このエンドプレート４４は、外筒部２２の外径よりも大径に構成されている。
【００３５】
図２に示される内筒部２８には、ポンプ部１８と反対側に円盤状の底壁部４８が形成されており、この底壁部４８の中央部には、回転軸方向に沿ってシャフト支持部５０が立設されている。このシャフト支持部５０には、回転軸方向に沿って配置されたシャフト５２の一端側が挿入固定されている。
【００３６】
内筒部２８の径方向内側は、ロータ収容室５４とされており、このロータ収容室５４には、ロータ５６が回転自在に収容されている。ロータ５６は、軸受部材５８を介してシャフト５２に回転自在に固定されている。また、ロータ５６には、円筒状の本体部６０が設けられており、この本体部６０には、ステータ３４と径方向に対向するように図示しないロータマグネット部が周方向に沿って形成されている。
【００３７】
ポンプ部１８は、ポンプケース６２を備えて構成されている。ポンプケース６２のモータケース２０側には、上述のモータケース２０に形成されたフランジ２４と対向してフランジ６４が設けられている。そして、このポンプケース６２は、上述のモータケース２０と互いのフランジ２４，６４が接合されることにより一体的に固定されている。
【００３８】
ポンプケース６２には、図１，図３に示されるように、径方向に沿って延びる吸入口６６及び吐出口６８が設けられている。ポンプケース６２の内側は、ポンプ室７０として形成されており、このポンプ室７０は、上述の吸入口６６及び吐出口６８と連通されている。また、このポンプ室７０には、インペラ７２が収容されている。インペラ７２は、複数の羽根７４を備えて構成されており、上述のロータ５６と一体的に設けられている。また、ポンプケース６２には、回転軸方向に沿ってシャフト支持部７６が設けられており、このシャフト支持部７６には、上述のシャフト５２の他端側が挿入固定されている。
【００３９】
そして、この流体ポンプ１２では、ステータ３４との間に生ずる吸引及び反発力によってロータ５６がシャフト５２に対して回転し、ロータ５６と共にインペラ７２が回転する。また、インペラ７２が回転すると、吸入口６６を介して外部から流体がポンプ室７０内に吸入され、このポンプ室７０内に吸入された流体が吐出口６８を介して外部に吐出される構成とされている。
【００４０】
ゴムブラケット１４は、その全体が弾性変形可能なゴム材料により構成されている。このゴムブラケット１４は、図４乃至図６に示されるように、概ね円筒状に構成された保持部７８を有して構成されている。保持部７８には、流体ポンプ１２の回転軸方向に沿って直線状に保持孔部８０が設けられている。この保持孔部８０は、保持部７８の両端面に開口部８２，８４を有する貫通孔とされている。また、保持孔部８０は、軸線方向一端側の開口部８２から軸線方向他端側の開口部８２に向かうに従って縮径するテーパ孔状に形成されている。
【００４１】
保持孔部８０の軸線方向一端側の内周面には、凹状の係止凹部８６（被係止部）が複数設けられている。この係止凹部８６は、後述する如く、モータ部１６が保持孔部８０に挿入されたときにモータケース２０のリブ２６と係止される位置に形成されている。また、この保持孔部８０の軸線方向他端側は、上述のモータ部１６が圧入可能な孔寸法で形成された圧入部８８として構成されている。
【００４２】
保持部７８の外周面の周方向（すなわち、保持孔部８０の軸線周りの方向）に離間した二箇所の位置には、固定部９０が一体的に設けられている。この固定部９０は、保持部７８の外周面から径方向外側に突出するように形成されている。各固定部９０の突出端側には、後述するカラー９４（図２参照）が取り付けられるための孔部９２がそれぞれ設けられている。
【００４３】
次に、本発明の一実施形態に係る流体ポンプ装置１０の作用について説明する。
【００４４】
上記構成からなる流体ポンプ装置１０では、例えば、次の如く、流体ポンプ１２がゴムブラケット１４に組み付けられる。すなわち、流体ポンプ１２のモータ部１６を挿入方向の先端側とし、このモータ部１６を、図２中の矢印Ａで示される方向の如く、保持孔部８０の軸線方向一端側の開口部８２から軸線方向他端側の開口部８４に向けて挿入する。
【００４５】
つまり、流体ポンプ１２をゴムブラケット１４に組み付ける際には、軸線方向他端側の開口部８４よりも直径の大きな軸線方向一端側の開口部８２からモータ部１６を保持孔部８０に挿入する。なお、このとき、モータケース２０のリブ２６が保持孔部８０の内周面の係止凹部８６に入り込むように、流体ポンプ１２をゴムブラケット１４に対して相対的に回転させて位置調節する。
【００４６】
そして、図２に示される如く、モータケース２０のフランジ２４の端面が保持部７８の端面と接触した状態となると、モータ部１６の保持孔部８０への挿入が完了する。このときには、モータケース２０の外筒部２２の挿入方向先端側が、保持孔部８０の軸線方向他端側の圧入部８８に圧入された状態となり、この外筒部２２の挿入方向先端側の外周面が保持孔部８０に周方向に包囲されて保持される。つまり、このように、保持孔部８０にモータ部１６が挿入されたときには、保持孔部８０の軸線方向一端側（Ｘ１側）よりも主として軸線方向他端側（Ｘ２側）でモータ部１６の外周面が包囲されて保持された状態となる。
【００４７】
さらに、このときには、モータケース２０のリブ２６が保持孔部８０の内周面の係止凹部８６と保持孔部８０の軸線周りの方向（Ｒ方向）に係止された状態となる。続いて、モータケース２０の外筒部２２の保持孔部８０の開口部８４よりも外方に突出された突出部２３に、エンドプレート４４を取り付ける。
【００４８】
以上により、流体ポンプ１２のゴムブラケット１４への組み付けが完了する。なお、この流体ポンプ１２がゴムブラケット１４に組み付けられた流体ポンプ装置１０では、ゴムブラケット１４の固定部９０に設けられた孔部９２にカラー９４がそれぞれ取り付けられ、このカラー９４を介して固定部９０が車体等の被固定部に固定される。
【００４９】
このように、本発明の一実施形態に係る流体ポンプ装置１０によれば、保持孔部８０にモータ部１６が挿入されたときには、保持孔部８０の軸線方向一端側（Ｘ１側）よりも主として軸線方向他端側（Ｘ２側）でモータ部１６の外周面が包囲されて保持された状態となる。これにより、モータ部１６の外周面をその軸線方向一端側から軸線方向他端側に亘って一様に保持する保持孔部を備えた構成に比して、モータ部１６の外周面と保持孔部８０の内周面との接触面積を小さくできるので、流体ポンプ１２の振動が車体等の被固定部へ伝達されることをより抑制することができる。
【００５０】
また、本発明の一実施形態に係る流体ポンプ装置１０によれば、流体ポンプ１２をゴムブラケット１４に組み付ける際には、軸線方向他端側の開口部８４よりも直径の大きな軸線方向一端側の開口部８２からモータ部１６を保持孔部８０に挿入することができ、しかも、このときにはモータ部１６を保持孔部８０に挿入する際の初期の挿入抵抗を小さくできる。これにより、流体ポンプ１２のゴムブラケット１４への組付が容易となり、ひいては、流体ポンプ１２の被固定部への組付性をさらに向上させることができる。
【００５１】
しかも、本発明の一実施形態に係る流体ポンプ装置１０によれば、流体ポンプ１２をゴムブラケット１４に組み付けたときには、モータケース２０のリブ２６が保持孔部８０の内周面の係止凹部８６と保持孔部８０の軸線周りの方向（Ｒ方向）に係止される。これにより、例えば、流体ポンプ１２の作動時の振動等によって流体ポンプ１２がゴムブラケット１４に対し軸線周りの方向に回転されることを防止でき、流体ポンプ１２の被固定部への固定状態をより確実なものとすることができる。
【００５２】
また、本発明の一実施形態に係る流体ポンプ装置１０によれば、モータ部１６は、保持孔部８０の軸線方向他端側に設けられた圧入部８８に圧入されている。これにより、例えば、流体ポンプ１２のゴムブラケット１４に対するガタツキ等を抑制でき、流体ポンプ１２の被固定部への固定状態をより確実なものとすることができる。
【００５３】
また、本発明の一実施形態に係る流体ポンプ装置１０によれば、保持部７８の外周面の周方向（すなわち、保持孔部８０の軸線周りの方向）に離間した二箇所の位置に設けられた固定部９０で、ゴムブラケット１４を被固定部に固定することができる。これにより、ゴムブラケット１４の被固定部への取付状態が安定し、流体ポンプ１２の被固定部への固定状態をより確実なものとすることができ、しかも、ゴムブラケット１４の被固定部への固定も容易で、流体ポンプ１２の被固定部への組付性をさらに向上させることができる。
【００５４】
また、本発明の一実施形態に係る流体ポンプ装置１０によれば、流体ポンプ１２に設けられた既存の構成であるリブ２６を用い、このリブ２６を保持孔部８０の軸線方向一端側の内周面に形成された係止凹部８６に係止させるという簡単な構成により、流体ポンプ１２のゴムブラケット１４に対する軸線周りの方向（Ｒ方向）の回転を防止でき、流体ポンプ１２の被固定部への固定状態をより確実なものとすることができる。
【００５５】
また、本発明の一実施形態に係る流体ポンプ装置１０によれば、流体ポンプ１２は、ポンプ部１８が保持孔部８０の軸線方向一端側（Ｘ１側）に位置されるようにゴムブラケット１４に組み付けられている。従って、この流体ポンプ１２をゴムブラケット１４に組み付ける際には、上述の如く、保持孔部８０の軸線方向一端側の開口部８２から軸線方向他端側の開口部８４に向けてモータ部１６を挿入すれば良く、このときには、流体ポンプ１２のポンプ部１８がモータ部１６よりも挿入方向の後端側とされる。これにより、吸入口６６や吐出口６８が突出形成されたポンプ部１８を保持孔部８０の内部に通過させる必要が無いので、流体ポンプ１２のゴムブラケット１４への組付が容易であり、流体ポンプ１２の被固定部への組付性をさらに向上させることができる。
【００５６】
また、本発明の一実施形態に係る流体ポンプ装置１０によれば、例えばモータ部１６に対し保持孔部８０の軸線方向一端側（Ｘ１側）の方向に荷重が作用された場合でも、モータ部１６の突出部２３に備えられた拡径部としてのエンドプレート４４が保持孔部８０の軸線方向他端側に位置する開口部８４の周縁部に引っ掛かる。これにより、流体ポンプ１２のモータ部１６がゴムブラケット１４の保持孔部８０から抜けることを防止することができるので、流体ポンプ１２の被固定部への固定状態をより確実なものとすることができる。
【００５７】
また、本発明の一実施形態に係る流体ポンプ装置１０によれば、流体ポンプ１２を被固定部に固定するためのゴムブラケット１４をゴム製とすることにより、金属製のブラケットにゴム製の防振部材とを組み合わせた構成に比して、安価とすることができ、しかも、軽量化することができる。
【００５８】
次に、本発明の一実施形態に係る流体ポンプ装置１０の変形例について説明する。
【００５９】
上記実施形態では、保持孔部８０が軸線方向一端側の開口部８２から軸線方向他端側の開口部８４に向かうに従って直線状に縮径される構成とされていたが、その他にも、例えば、図７に示される如く、保持孔部８０が段付き形状に構成されていても良い。そして、保持孔部８０の軸線方向他端側の圧入部８８が、図２に示される構成に比して軸方向に長い構成とされていても良い。
【００６０】
また、上記実施形態では、リブ２６がモータケース２０に設けられていたが、リブ２６は、ポンプケース６２に設けられていても良く、モータケース２０及びポンプケース６２の双方に設けられていても良い。
【００６１】
また、上記実施形態では、保持孔部８０が軸線方向一端側から軸線方向他端側に貫通された貫通孔とされていたが、保持孔部８０は、軸線方向一端側が開口し軸線方向他端側が閉塞する袋状に構成されていても良い。
【図面の簡単な説明】
【００６２】
【図１】本発明の一実施形態に係る流体ポンプ装置の全体構成を示す斜視図である。
【図２】本発明の一実施形態に係る流体ポンプ装置の全体構成を示す側面断面図である。
【図３】本発明の一実施形態に係る流体ポンプの全体構成を示す斜視図である。
【図４】本発明の一実施形態に係るゴムブラケットの全体構成を示す斜視図である。
【図５】本発明の一実施形態に係るゴムブラケットの全体構成を示す正面図である。
【図６】本発明の一実施形態に係るゴムブラケットの全体構成を示す側面断面図である。
【図７】本発明の一実施形態に係るゴムブラケットの変形例を示す図である。
【符号の説明】
【００６３】
１０…流体ポンプ装置、１２…流体ポンプ、１４…ゴムブラケット、１６…モータ部、１８…ポンプ部、２０…モータケース、２２…外筒部、２３…突出部、２４，６４…フランジ、２６…リブ、２８…内筒部、３０…連結壁部、３２…ステータ収容室、３４…ステータ、３６…コア、３８…コイル、４０…回路基板、４２…開口部、４４…エンドプレート、４６…係止固定部、４８…底壁部、５０，７６…シャフト支持部、５２…シャフト、５４…ロータ収容室、５６…ロータ、５８…軸受部材、６０…本体部、６２…ポンプケース、６６…吸入口、６８…吐出口、７０…ポンプ室、７２…インペラ、７４…羽根、７８…保持部、８０…保持孔部、８２…軸線方向一端側の開口部，８４…軸線方向他端側の開口部、８６…係止凹部、８８…圧入部、９０…固定部、９２…孔部、９４…カラー
【図１】
2008121522.tif 000003
【図２】
2008121522.tif 000004
【図３】
2008121522.tif 000005
【図４】
2008121522.tif 000006
【図５】
2008121522.tif 000007
【図６】
2008121522.tif 000008
【図７】
2008121522.tif 000009